(57)【要約】【課題】  本考案はシリンダー、針、プッシュバー、ブッシュ、位置決めリングからなる安全注射装置に関する。【解決手段】  前記位置決めリングは挿入栓とシリンダー筒リングの間に嵌め込みシリンダー先端部分の応力を向上するのに用いられ、ブッシュによりバー柱の先端に嵌め込み、針を挿入栓に嵌め込み、注射後に前へ推し、バーヘッドの柱ネックを挿入栓内の係止リングに係止させ、さらにプッシュバーを前方へ推し螺旋状の溝を切り、針をシリンダーから離し、前記プッシュバーを後へ引き戻し、針、プッシュバーの先端の一部分、位置決めリング、ブッシュをシリンダー室に収納するもの。【選択図】    図1ａ
0003128028.tif 000002
【実用新案登録請求の範囲】
【請求項１】
安全注射装置であって、
内部に注射室シリンダー室があり、その前端に挿入栓を有すると共に貫通孔を持ち開け、底部の開放口が内の向きに係止リングを突設し、前記挿入栓が外側の筒シリンダーリングと連結する先端部分では螺旋状の溝を有するシリンダーと、
注射針により針台座と連結して中央部に台座孔を有し挿入栓と結合する針と、
バー状でその前端のヘッド軸性にバー柱を伸ばし、バー柱の最先端にテーパー状のバーヘッドを有し、その後方に外径を縮小した柱ネックを具えたプッシュバーと、
軟性の材料からなり、その外径が筒室シリンダー室に対応し内部にリング室を有しバー柱を貫通させ、その先端のバーヘッドがリング室前端の軸孔を貫通するブッシュと、
挿入栓と筒シリンダーリングの間に嵌め込み、シリンダー先端部分の応力を向上する位置決めリングを含み、
ブッシュによりバー柱に嵌め込み、針を挿入栓に嵌め込み、注射後に前へ推し、バーヘッドの柱ネックが挿入栓内の係止リングに係止し、さらにプッシュバーを前へ推し螺旋状の溝を切り、針をシリンダーから離し、前記プッシュバーを後へ引き、針、プッシュバーの先端の一部分、位置決めリング、ブッシュをシリンダー室に収納することを特徴とする安全注射装置。
【請求項２】
前記シリンダー室が付近後方の開放口に接続リングを内に向けて突設することでプッシュバーのバーヘッドの端部の前後のバー翼と係止することを特徴とする請求項１に記載の安全注射装置。
【請求項３】
前記バーヘッドの後方の外径が柱ネックに縮小することで、プッシュバーのバーヘッドがシリンダー室の接続リングに係止すると、プッシュバーに外力を加えて柱ネックに切れを形成することを特徴とする請求項2に記載の安全注射装置。
【請求項４】
前記位置決めリングが軟性の材料からなることを特徴とする請求項１に記載の安全注射装置。
【請求項５】
前記プッシュバーの端末に外径が大きいプッシュ板を有し、ピストンバーは複数の放射状の板体から成り、前端にバーヘッド部を有することを特徴とする請求項１に記載の安全注射装置。
【請求項６】
前記バー柱の軸性がスライド部を突設し、両ふちが斜めに削れた傾斜面の前、後リング翼から構成され、ブッシュ後壁のリング孔を両側から囲み、ブッシュがシリンダーの先端部分に当接すると前記２個リング翼はリング室に入ると共に、その内部をスライドし、バーのヘッドを挿入栓内の係止リングに係止することを特徴とする請求項１に記載の安全注入注射装置。
【請求項７】
前記バー柱先端部分に傾斜面を設け、シリンダー室の頂面先端部分内壁と針が前記傾斜面に接触することで傾斜状を引き出すのに用いられることを特徴とする請求項１に記載の安全注射装置。
【請求項８】
プッシュバー底部のプッシュ板が前の向きに折り曲げ板を突設しそのプッシュ板の間に切断可能な裁断角を設け、シリンダー底部側が伸ばした翼板を前方へ移動するストッパーとすることを特徴とする請求項１に記載の安全注射装置。
【考案の詳細な説明】
【技術分野】
【０００１】
本考案は安全注射装置で、特に注射後引き戻して、針先をシリンダー内に戻して露出させないことで、再使用を有効に防止する注射装置を指す。とりわけ、本考案は位置決めリングを設けることで、注射又は運搬過程で、前記挿入栓が螺旋溝下部の弱点設計による動揺現象が起きるのを回避でき、また、液漏れも有効的に防止し、長年来の注射装置の欠点を改善したものである。
【背景技術】
【０００２】
注射装置では、例えば注射器は医療器材の中でも極めて大きな比重を占めており、特に近年のエイズの蔓延に見られるような難病で、注射感染の事例がひっきりなしに発生している。このため各界では医療器材を重要視するようになってきており、とりわけ注射器に焦点が当てられ、自壊機能を具えた使い捨ての注射器が必然的に避け難い情勢となってきている。
【０００３】
従来の安全な注射器は大抵、針、シリンダー、プッシュバー、ブッシュ及び外筒から構成されている。針はシリンダー先端に連結され、プッシュバーはブッシュに嵌め込んだのちスライドしてシリンダー内に収まる。その後外筒内に入り、スライド状態を呈する。また、使い捨てにするために、大きなパーツの設計は注射後に針を筒内に収め、再び露出させないようにするが、当然針を内部に引き込む設計もあり、その方法は針を注射後に内部に戻し、再び液を吸い上げて使用することのないようにしたものである。
【０００４】
この方式は無論針を二度と露出させることなく、薬液を再び吸い上げられないような基本的機能を果たしているが、その欠点は部品が多かったり、複雑であったりして、コストが高く付くため普及し難く、医療廃棄物という点でも、処理面でのコストが加わり困難さを増している。
【０００５】
これがために、台湾特許庁２００３年７月１日公告における公告番号５４０３８５号の「二点式回収安全注射器」特許案の開示では、プッシュバーが収まるシリンダーの一端に針台座が有り、前記針座はその周りとシリンダーの間に螺旋溝を形成し、針台座には貫通した中台座を設け、プッシュバーは相対的に中台座の一端に孔に係止したフック部材を具備している。プッシュバーの先端と針台座を固定してプッシュバーが針台座を引き戻すと同時に螺旋溝を破壊し、注射針を固定していた針台座をシリンダー内部に移動させることで、注射針の露出による突発的傷害の発生を防止する。ただ欠点は前記シリンダーの先端部分の螺旋溝が弱点設計になっているので、前記針台座が注射若しくは運搬の過程で、外力によって生じた力で動揺するという状況が起こり、さらには螺旋溝が切れることによって液が漏れ出す惧れがある。
【０００６】
従来の注射器は注射時に挿入栓を先まで押しても隙間が残るため、薬液を完全に体内に注射できず、このため薬液がシリンダー内に残るという無駄があり、注射の有効剤量を低下させている。
【考案の開示】
【考案が解決しようとする課題】
【０００７】
本考案の申請人は長年安全な注射装置設計と生産販売に従事した経験で、前記の安全な注射器の多くの欠点を克服できると期待し、数々の実験とテストを繰り返し、本案の「安全注射装置」を開発した次第である。
【課題を解決するための手段】
【０００８】
本考案の主な目的は安全注射装置を提供することにあり、それは内部にシリンダー室があり、その前端に挿入栓を有すると共に貫通孔を開け、底部の開放口が内向きに係止リングを突設し、前記挿入栓が外側のシリンダーリングと連結する先端部分では螺旋状の溝を有するシリンダーと、注射針により針台座と連結して中央部に台座孔を有し挿入栓と結合する針と、バー状でその前端のヘッド軸性にバー柱を伸ばし、バー柱の最先端にテーパー状のバーヘッドを有し、その後方に外径を縮小した柱ネックを具えたプッシュバーと、軟性の材料からなり、その外径が筒室シリンダー室に対応し内部にリング室を有しバー柱を貫通させ、その先端のバーヘッドがリング室前端の軸孔を貫通するブッシュと、挿入栓とシリンダーリングの間に嵌め込み、シリンダー先端部分の応力を向上する位置決めリングを含み、ブッシュによりバー柱に嵌め込み、針を挿入栓に嵌め込み、注射後に前へ推し、バーヘッドの柱ネックが挿入栓内の係止リングに係止し、さらにプッシュバーを前へ推し螺旋状の溝を切り、針をシリンダーから離し、前記プッシュバーを後へ引き、針、プッシュバーの先端の一部分、位置決めリング、ブッシュをシリンダー室に収納することを含む。
【０００９】
本考案における二番目の目的は、前記シリンダー室が後方の開放口に接続リングを内向きに突設することでプッシュバーのバーヘッドの端部の前後のバー翼と係止することを特徴とする安全注射装置を提供することにある。さらに、前記バーヘッドの後方の外径が柱ネックに縮小することで、プッシュバーのバーヘッドがシリンダー室の接続リングに係止すると、プッシュバーに外力を加えて柱ネックに切れを形成することを特徴ともしている。
【００１０】
本考案の別の目的は、前記プッシュバーの端末に外径が大きいプッシュ板を有し、ピストンバーは複数の放射状の板体から成り、前端にバーヘッド部を有することを特徴とする安全注射装置を提供することにある。このほかに、前記バー柱の軸性がスライド部を突設し、両ふちが斜めに削れた傾斜面の前、後リング翼から構成され、ブッシュ後壁のリング孔を両側から囲み、ブッシュがシリンダーの先端部分に当接すると前記２個リング翼はリング室に入ると共に、その内部をスライドし、バーのヘッドを挿入栓内の係止リングに係止することを特徴としてる。
【００１１】
本考案の更なる目的は、プッシュバー底部のプッシュ板が前向きに折り曲げ板を突設し、そのプッシュ板の間に切断可能な裁断角を設け、シリンダー底部側が伸ばした翼板を前方へ移動するストッパーとすることを特徴とする安全注射装置を提供することにある。
【００１２】
本考案のまた別の目的は、前記バー柱先端部分に傾斜面を設け、シリンダー室の先端部分内壁と針が前記傾斜面に接触することで傾斜状を引き出すのに用いられることを特徴とする安全注射装置を提供することにある。
【００１３】
本考案のまた更なる目的は、前記位置決めリングが軟性の材料からなることを特徴とする安全注射装置を提供することにある。
【考案の効果】
【００１４】
本考案は前記の安全な注射器の多くの欠点を克服できるものをとして目的にする。
【考案を実施するための最良の形態】
【００１５】
図１aより図４で示されるように、基本的には、本考案の注射装置はシリンダー１、針２、プッシュバー３、ブッシュ４、位置決めリング５からなる。
【００１６】
シリンダー１は中空になっており、その内部にはシリンダー室１１があって注射薬液を入れ、その後翼板１２を一対設けて握るのに用いる。シリンダー１の先端には外形が小さく、中央に貫通孔１３を開けた挿入栓１４が設けられており、その外側にシリンダーリング１５に連なる先端部分１６に、厚みが変化する螺旋溝１７が設けられている。その目的は注射後の針２が挿入栓１４と連動して引き続きプッシュすると、螺旋溝１７が切れて自壊作用を起こすことである。このほか、前記挿入栓１４が先端部分１６の内壁に隣接して係止リング１８を突設している。
【００１７】
前記シリンダー室１１付近後方の開放口に接続リング１９を内に向けて突設することで、バーヘッド部３３の両ふちに斜めに削れた前バー翼３３１と後バー翼３３２翼と係止することで、プッシュバー３の位置決めに有利となり、またバーネック３７の切断にも有利となる。
【００１８】
位置決めリング５を挿入栓１４とシリンダーリング１５との間に嵌め込むが、前記位置決めリング５は硬質若しくは軟性素材で造られるものの、ゴム素材のような軟質弾性素材が適している。このほか、前記位置決めリング５は先端部分１６に接触しており、螺旋溝１７を具えた弱点設計により前記挿入栓１４が動揺する状況を回避でき、また同時に螺旋溝１７が不注意で切れた場合に、前記位置決めリング５は漏れ止め効果を担っている。前記位置決めリング５の主な目的は?挿入栓１４は、外力で生じた力による螺旋溝１７の想定外の切れを防止する。?螺旋溝１７が不意に切れた後の薬剤の漏洩を防止し、螺旋溝１７がよしんば軽微な液漏れを起こしても、なお注射としての機能を失わない、ということにある。
【００１９】
針２は従来のものでは、針台座２２と繋がった注射針２１を具え、前記針台座２２は中央には台座孔２３があり、注射針２１の針穴に繋がっており、台座孔２３の内径は前述の挿入栓１４の外径に対応してきっちりと嵌め込まれている。実際は、前記台座孔２３は注射針２１から挿入栓１４方向へ若干斜めに拡張している方が良いものの、この限りではない。
【００２０】
プッシュバー３は細長い棒状で、その末端には外径が大きいプッシュ板３１が具え付けられ、そのピストンバー３２は複数の放射状の板体により形成され、前端にバーヘッド部３３を有し、前記バーヘッド部３３の前方軸はバー柱３４に伸びており、スライド部３５を放射状に突設し、両ふちが斜めに削れた傾斜面の前、後リング翼３５１、３５２から構成され、ブッシュ４後壁のリング孔４２を両側から囲み挟んでいる。バー柱３４の最先端はテーパー状のバーヘッド３６で、それは斜めに外側へ張り出した矢の形をしており、その後方に真っ直ぐ削って径を縮小した柱ネック３６１を具備する。
【００２１】
実施する時、前記プッシュバー３は一体成型がよいが、この限りではない。例えばバーヘッド部３３とバー柱３４は部品を二つに分けて一体に結合させる方式を採用することも可能である。
【００２２】
前記バーヘッド部３３の後方の外径は縮小してバーネック３７を形成している。このほか、針２を注射後引き戻す際に斜めに傾けることができ、図で示すように、前記バー柱３４の先端部分には傾斜面３８が設けられ、その操作方法は後で述べることとする。さらに、本考案では運送過程、若しくは不注意による注射装置の自壊を回避するために、図４bで示すように、前記プッシュ板３１は前方に折り曲げ板３９を伸ばし、プッシュ板３１との間に切断可能な裁断角を設け、また翼板１２で前方移動のストッパーとし、バーヘッド３６が、運搬過程若しくは操作ミスという状況下で、挿入栓１４内の係止リング１８に係止しないようにする。
【００２３】
ブッシュ４は軟性素材から造られているが、ゴム素材に限られたものではなく、その外径サイズは前記シリンダー室１１に対応して、きっちりと嵌め込まれ、その内部のリング室４１後方を開いてリング孔４２を具備し、前記両リング翼３５１、３５２が嵌め込まれ、先端には小さいサイズの軸孔４３を設け、バーヘッド３４が突き出ている。前記リング室４１は相当縦に深く、スライド部３５のリング翼３５１、３５２がその中でスライド出来るようにしている。
【００２４】
図式では、本考案の組立時にまずブッシュ４をバー柱３４に嵌め込み、バーヘッド３６を軸孔４３から突出させ、両リング翼３５１、３５２はリング孔４２に嵌め込み、それからプッシュバー３をブッシュ４と共にシリンダー１のシリンダー室１１内に嵌め込み、針２は針台座２２により挿入栓１４に嵌め込み、図２及び図４aで示すような立体図及び断面図の状態を呈し、薬液を吸い上げられる状態となるのである。
【００２５】
薬液を吸い上げた後、注射する際、図５で示すように、このとき指でプッシュバー３を前方にプッシュすると、先端のブッシュ４はシリンダー室１１に沿って前方移動し、薬液を押し出すと挿入栓１４と針２を通って体内に注射される。
【００２６】
図６で示すように、ブッシュ４はプッシュバー３と共にシリンダー１の前方先端部分１６の内壁に押し上げられ、薬液はこれによって押し出され、先端に突き出たバーヘッド３６は貫通孔１３内に入り、薬液の残りが最小限度になるようにする。
【００２７】
注射完了後、図７に示すように、プッシュバー３を全方にプッシュし、バーヘッド３６後方の柱ネック３６１を挿入栓１４内の係止リング１８に係止し、スライド部３５の二つの前後リング翼３５１、３５２はブッシュ４がシリンダー１の先端部分１６の内壁を押さえて、引き続き前進すると、それぞれリング室４１内に入って行く。図８で示すように、プッシュバー３が引き続き前進すると、前記螺旋溝１７が切れることで、先端部分１６とシリンダー１を分離し、前リング翼３５１がリング室４１の先端に触れて、それ以上押せなくなると、有効に再使用が防止できるのである。
【００２８】
図９で示すように、プッシュバー３を引き戻すと、このときブッシュ４、挿入栓１４、位置決めリング５および針２と共に、シリンダー室１１内に引き戻され、シリンダー室１１後端開口部にある接続リング１９が前後バー翼３３１、３３２と係止状態となると、プッシュバー３は最早引き戻せないこととなる。このとき、バー柱３４の先端面は傾斜面３８が設けられているために、先端部分１６の内壁と針２を前記傾斜面３８に接触させて傾斜状を呈する。
【００２９】
図１０で示すように、このとき、柱ネック３７を経由してプッシュバー３を切断し、針２、プッシュバー３の一部分及びブッシュ４をシリンダー室１１内に残すことで、廃棄処分する際に安全面でのトラブルがないのである。
【００３０】
故に、本考案を実施することで、注射して回収した後に針を再度前方にプッシュする虞は確実にないので、注射装置の再利用で生ずるトラブルを有効に防止できるのである。前記位置決めリングは挿入栓とシリンダーリングの間に嵌め込み、螺旋溝の弱点設計により挿入栓が動揺する状況を未然に防ぎ、更には漏れ止め効果も具えているのである。また、本考案に係るブッシュの特殊設計は組立てから薬液の注射完了まで、法令の要求に合致したブロック効果をも具えている。このほかに、本考案ではプッシュバーのスライド部は薬液を注射した後、少し力を加えると、前記ブッシュ後方のリング孔を通って、プッシュバーの先端をリング室に進入させ、引き続き前方へ狙いを定めて螺旋溝を突き破るのである。また、本考案は部品を増やさないという有利性でもって、同時に製造コストを下げ、全体の構造面においても、薬液を残すことなく有効的に最大量打つことができ、バー柱の傾斜面設計は、針を引き戻し傾斜させる目的を達することができる。プッシュバーのプッシュ板が前方に折り曲げ板を突き出すという弾力的設計によって、本考案で運搬過程若しくは操作ミスという状況下で、自壊してしまうトラブルを未然に防止することは、同種の製品にはこれまで見られなかった優れた長所である。
【００３１】
本考案で開示した内容は、好ましい実施例に過ぎず、局部の改変若しくは補正は本考案の技術思想の流れを汲み、本項の熟練技術者が容易に類推できるものは、何れも本考案の特許範囲内のものとする。
【００３２】
上記、本考案は目的、手段及び効果を問わず、従来の技術的特徴と大きく異なることを示しており、まず実用的に考案されており、また実用新案特許の要件にも合致しており、社会貢献に資するべく、審査委員のご賢察により早期に特許を賜りたく願う次第である。
【図面の簡単な説明】
【００３３】
【図１ａ】本考案に係る安全注射装置の第一の視角からの分解斜視図である。
【図１ｂ】本考案に係る安全注射装置の第二の視角からの分解斜視図である。
【図２】本考案組立後の立体図である。
【図３ａ】本考案に係るシリンダーの俯瞰図である。
【図３ｂ】本考案に係るシリンダーの正面断面図である。
【図４ａ】本考案による組立後の断面図で、薬液を吸い上げるところである。
【図４ｂ】本考案に係る折り曲げ板を曲げた際の操作概略図である。
【図５】本考案での注射中の断面図である。
【図６】本考案において先端部まで注射している断面図である。
【図７】本考案に係るテーパー状バーヘッドが挿入栓内の係止リングに係止している局部拡大断面図である。
【図８】本考案に係る液体容器筒の螺旋溝が切れ、自壊した局部拡大断面図である。
【図９】本考案に係るプッシュバーを引き戻した際、針先がシリンダーのルーム内に戻された概略図である。
【図１０】プッシュバーがバーネックより折れた後、針、プッシュバーの一部分及びブッシュがシリンダールーム内に残っている概略図である。
【符号の説明】
【００３４】
１  シリンダー
１１  シリンダー室
１２  翼板
１３  貫通孔
１４  挿入栓
１５  シリンダーリング
１６  先端部分
１７  螺旋溝
１８  係止リング
１９  接続リング
２   針
２１  注射針
２２  針台座
２３  台座孔
３   プッシュバー
３１  プッシュ板
３２  ピストンバー
３３  バーヘッド部
３３１  前バー翼
３３２  後バー翼
３４   バー柱
３５   スライド部
３５１  前リング翼
３５２  後リング翼
３６   バーヘッド
３６１  柱ネック
３７  柱ネック
３８  傾斜面
３９  折り曲げ板
４  ブッシュ
４１  リング室
４２  リング孔
４３  軸孔
５  位置決めリング
【図１ａ】
0003128028.tif 000003
【図１ｂ】
0003128028.tif 000004
【図２】
0003128028.tif 000005
【図３ａ】
0003128028.tif 000006
【図３ｂ】
0003128028.tif 000007
【図４ａ】
0003128028.tif 000008
【図４ｂ】
0003128028.tif 000009
【図５】
0003128028.tif 000010
【図６】
0003128028.tif 000011
【図７】
0003128028.tif 000012
【図８】
0003128028.tif 000013
【図９】
0003128028.tif 000014
【図１０】
0003128028.tif 000015